(57)【要約】【課題】コンロ本体の内部で生じる負圧の影響による点火不良を防止すると共に、比較的少量の混合ガスで確実に点火することができるコンロ用バーナを提供する。【解決手段】バーナボディ２に、バーナヘッド３を載置する載置部１４と、載置部１４の一部を上下方向に貫く空間を有して当該空間に点火プラグ６を収容する点火プラグ収容部１９と、点火プラグ収容部１９の上部に設けられて載置部１４から点火プラグ６の上端より高い位置に突出する突出部２４とを設ける。突出部２４に点火プラグ６の上方を開放する点火プラグ用開口２９を設ける。バーナヘッド３に点火プラグ用開口２９の上方を覆う覆部３３を設ける。突出部２４と覆部３３との間における点火プラグ６よりも高い位置に点火用炎孔３０を設ける。【選択図】図２
2014145512.tif 000002
【特許請求の範囲】
【請求項１】
燃料ガスと一次空気との混合ガスを生成する混合管と、該混合管に連設された円筒状のバーナボディと、該バーナボディ上に載置されて外周端に沿って多数の調理用炎孔を形成する環状のバーナヘッドと、前記調理用炎孔に点火するための点火プラグとを備えるコンロ用バーナにおいて、
前記バーナボディの上端面に設けられて前記バーナヘッドを載置する環状の載置部と、
前記バーナボディの内部に設けられ、前記載置部の一部を上下方向に貫く空間を有して当該空間に前記点火プラグを収容する点火プラグ収容部と、
前記点火プラグ収容部の上部に設けられ、前記バーナボディの前記載置部から前記点火プラグの上端より高い位置まで突出する突出部と、
前記点火プラグ収容部に収容された点火プラグの少なくとも上方を開放する点火プラグ用開口と、
前記バーナヘッドに設けられ、前記突出部の上面に当接すると共に前記点火プラグ用開口の上方を覆う覆部と、
前記突出部と前記覆部との間における前記点火プラグよりも高い位置に形成された点火用炎孔とを備えることを特徴とするコンロ用バーナ。
【請求項２】
請求項１記載のコンロ用バーナにおいて、
前記覆部は、前記突出部よりも前記バーナヘッドの径方向外側に張り出して形成されており、該覆部の張り出し方向先端部に、前記点火用炎孔に空隙を存して対向する先端垂下部が形成されていることを特徴とするコンロ用バーナ。
【請求項３】
請求項１又は２記載のコンロ用バーナにおいて、
前記突出部は、前記載置部の周方向に所定間隔を存して互いに対向する一対の縦壁部と、前記点火プラグに対する前記バーナボディの径方向の内側に起立して前記点火プラグの背面側に対向する背面壁部とで構成され、前記点火プラグの上方とバーナボディの径方向の外側とを前記点火プラグ用開口として開放することを特徴とするコンロ用バーナ。
【発明の詳細な説明】
【技術分野】
【０００１】
本発明は、ガスコンロに用いられるコンロ用バーナに関する。
【背景技術】
【０００２】
一般に、コンロ用バーナは、燃料ガスと一次空気との混合ガスを供給する混合管と、混合管に連設されたバーナボディと、該バーナボディ上に載置されて外周に沿って多数の炎孔を形成する環状のバーナヘッドと、前記炎孔に点火するための点火プラグとを備えている。
【０００３】
この種のコンロ用バーナにおいては、バーナボディの外周部の一部を径方向内方に窪ませることにより、点火プラグを収容するための点火プラグ収容部を形成し、点火プラグ収容部に収容した点火プラグをバーナヘッドにより上方から覆うようにしたものが知られている（下記特許文献１参照）。
【０００４】
このものでは、点火プラグ収容部の奥側に点火用炎孔が設けられており、点火用炎孔から点火プラグ収容部の内部に噴出される混合ガスに、点火プラグ収容部の内部に設けた点火プラグにより点火する。これにより、点火プラグの露出を少なくして体裁が良好に保たれる。
【先行技術文献】
【特許文献】
【０００５】
【特許文献１】特開平６−１８５７０７号公報
【発明の概要】
【発明が解決しようとする課題】
【０００６】
しかし、上記従来のコンロ用バーナは、点火用炎孔が点火プラグよりも下方に位置しているため、バーナヘッドの周縁に形成される調理用炎孔までの距離が比較的長い。このため、確実に点火の際に噴出される混合ガス量を多量に噴出させる必要があり不経済である。
【０００７】
また、点火プラグを収容する点火プラグ収容部がコンロ本体内部に連通しているため、コンロ本体内部に負圧が発生した場合には、その負圧が僅かであっても点火不良が生じるおそれがある。
【０００８】
このような負圧による点火不良は、上記従来のコンロ用バーナをシステムキッチンのビルトイン式コンロに用いたときに多く発生する。即ち、このようなコンロが設置されたシステムキッチンでは、当該システムキッチンに接する壁に燃料ガス配管用の孔が開けられることがあり、この孔と配管との間に隙間が生じている場合がある。このため、システムキッチン側から壁の外部に空気流が生じるとシステムキッチンの内部が負圧になる。また、コンロの下方に位置するシステムキッチンの収納扉を開閉したときにも、システムキッチンの内部が負圧になる。システムキッチンの内部が負圧になると、これに伴いコンロ本体内部も負圧になり、この影響で点火プラグ収容部に下向きの気流が生じる。このとき、点火用炎孔から点火プラグに向かって供給されるべき混合ガスは、コンロ本体内部方向に引かれて点火プラグの先端に設けられる電極の近傍まで到達できず、点火不良が生じる。
【０００９】
上記の点に鑑み、本発明は、コンロ本体の内部で生じる負圧の影響による点火不良を防止すると共に、比較的少量の混合ガスで確実に点火することができるコンロ用バーナを提供することを目的とする。
【課題を解決するための手段】
【００１０】
本発明は、燃料ガスと一次空気との混合ガスを生成する混合管と、該混合管に連設された円筒状のバーナボディと、該バーナボディ上に載置されて外周端に沿って多数の調理用炎孔を形成する環状のバーナヘッドと、前記調理用炎孔に点火するための点火プラグとを備えるコンロ用バーナにおいて、前記バーナボディの上端面に設けられて前記バーナヘッドを載置する環状の載置部と、前記バーナボディの内部に設けられ、前記載置部の一部を上下方向に貫く空間を有して当該空間に前記点火プラグを収容する点火プラグ収容部と、前記点火プラグ収容部の上部に設けられ、前記バーナボディの前記載置部から前記点火プラグの上端より高い位置まで突出する突出部と、前記点火プラグ収容部に収容された点火プラグの少なくとも上方を開放する点火プラグ用開口と、前記バーナヘッドに設けられ、前記突出部の上面に当接すると共に前記点火プラグ用開口の上方を覆う覆部と、前記突出部と前記覆部との間における前記点火プラグよりも高い位置に形成された点火用炎孔とを備えることを特徴とする。
【００１１】
本発明によれば、混合管で生成される混合ガスがバーナボディの内部を経て点火用炎孔から噴出される。そして、点火プラグの火花放電により、先ず点火用炎孔に点火用の火炎を形成し、この火炎を前記調理用炎孔に火移りさせることによりバーナヘッドの全周にわたる燃焼が得られる。
【００１２】
そして、本発明においては、点火用炎孔を点火プラグよりも高い位置に設けて、点火プラグ用開口によって開放された点火プラグの上方に混合ガスを導出する。これにより、点火プラグ収容部の内部（下方）に引き込むような負圧が生じても、点火用炎孔からの混合ガスや火炎形成に対する影響は少ない。従って、点火用炎孔における点火不良を防止することができるだけでなく、比較的少量の混合ガスで確実に点火することができる。
【００１３】
更に、前記点火プラグ用開口が前記バーナヘッドの覆部により覆われるので、点火プラグ収容部への異物の入り込み等を確実に防止することができ、点火用炎孔が前記突出部と前記覆部との間に形成されていることにより、点火用炎孔への煮こぼれ汁等の付着も防止できる。
【００１４】
また、本発明において、前記覆部は、前記突出部よりも前記バーナヘッドの径方向外側に張り出して形成されており、該覆部の張り出し方向先端部に、前記点火用炎孔に空隙を存して対向する先端垂下部が形成されていることを特徴とする。
【００１５】
前記覆部が、突出部よりも外側まで延びていることから、点火用炎孔からの点火用火炎は前記覆部の下面に沿って調理用炎孔よりも外側に至る。そして、更に点火用火炎は前記先端垂下部に当たって下向きに案内され、この際にバーナヘッドの周方向に広げられる。これにより、点火用炎孔から導出される混合ガスが比較的少なくても、前記覆部によって十分な大きさの火炎が形成され、調理用炎孔に確実に火移りさせて点火することができる。
【００１６】
更に、前記覆部は前記点火プラグ用開口の上方を覆うだけでなく、覆部の張り出し方向先端部に先端垂下部が形成されていることにより、例えば、覆部上から流下する煮こぼれ汁の覆部の下面への回り込みを防止することができ、点火プラグ用開口から点火プラグ収容部への煮こぼれ汁の流入を確実に防止できる。
【００１７】
また、本発明において、前記突出部は、前記載置部の周方向に所定間隔を存して互いに対向する一対の縦壁部と、前記点火プラグに対する前記バーナボディの径方向の内側に起立して前記点火プラグの背面側に対向する背面壁部とで構成され、前記点火プラグの上方とバーナボディの径方向の外側とを前記点火プラグ用開口として開放することを特徴とする。
【００１８】
これによれば、点火プラグの先端部分が突出部の一対の縦壁部と背面壁部とで囲われるので、掃除の際にバーナボディからバーナヘッドを取り外したときに、点火プラグの先端部分への不用意な接触を防止することができ、点火プラグの損傷を防止することができる。更に、点火プラグ用開口により点火プラグの上方とバーナボディの径方向の外側とが開放されているので、点火プラグに付着するカーボン除去等のお手入れ作業も容易に行うことができる。
【図面の簡単な説明】
【００１９】
【図１】本発明の実施形態のコンロ用バーナを示す側面図。
【図２】本実施形態のコンロ用バーナの要部断面図。
【図３】本実施形態のバーナボディのスペーサを示す斜視図。
【図４】本実施形態のバーナヘッドを示す斜視図。
【発明を実施するための形態】
【００２０】
本発明の一実施形態を図面に基づいて説明する。本実施形態のコンロ用バーナは、図１に示すように、混合管１と、バーナボディ２と、バーナヘッド３とを備えている。
【００２１】
混合管１は、図示しないガスノズルから噴出する燃料ガスを一次空気と共に取り入れることにより燃料ガスと一次空気との混合ガスを生成する。
【００２２】
図２に示すように、混合管１の下流端には、バーナボディ２が連設されている。バーナボディ２は、金属製板材により形成された基体部４と、ダイカストにより形成されたスペーサ５とを備えている。スペーサ５の内部には点火プラグ６が設けられている。
【００２３】
バーナボディ２の基体部４は、外筒７と、外筒の内側に設けられた内筒８とを備え、外筒７と内筒８との間に形成される環状の空間が混合管１に連通する混合気通路９を構成している。外筒７の上端には、スペーサ５が連結されている。
【００２４】
スペーサ５は、図２及び図３に示すように、その上端面にバーナヘッド３を載置する環状の載置部１４を備えている。
【００２５】
図２に示すように、スペーサ５は、コンロ本体（図示しない）の上面を閉塞する天板１５から露出する。天板１５には、バーナ用開口１６が形成されており、バーナ用開口１６とスペーサ５との間に形成される間隙を閉塞する環状の閉塞板１７が設けられている。スペーサ５はダイカストによって形成されているので、美観が高く、また、変形強度も高いことにより天板１５から露出させるのに好適である。
【００２６】
また、スペーサ５の外周壁１８の内側には、点火プラグ６を収容する点火プラグ収容部１９が設けられている。点火プラグ収容部１９は、スペーサ５の外周壁１８の内面に沿って縦長の空間を形成している。点火プラグ収容部１９の内部には、点火プラグ６のプラグ本体２０が収容されている。これにより、点火プラグ６を殆ど露出させることなく設けることができ、外観を向上させることができる。
【００２７】
点火プラグ６は、スペーサ５の外周壁１８の一部から下方に延びる支持片２１を介してスペーサ５に取り付けられている。
【００２８】
更に、スペーサ５には、点火プラグ収容部１９の上部に連設されて載置部１４から突出する突出部２４が設けられている。突出部２４は、図３に示すように、載置部１４の周方向に所定間隔を存して互いに対向する一対の縦壁部２５と、背面壁部２７（図２参照）の上端部分とからなり、これらに包囲された空間内に点火プラグ６の電極２８が収容される。また、突出部２４には、点火プラグ６の上方とスペーサ５の径方向の外側とを開放する点火プラグ用開口２９が形成されている。
【００２９】
更に、背面壁部２７の上端縁には、点火プラグ６の電極２８を覆わない程度に水平に張り出す上壁部２６が形成されており、この部分の上面は点火用炎孔３０（図２参照）の一部を構成する。
【００３０】
点火プラグ６の電極２８が突出部２４に収容されていることにより、掃除等の際にバーナボディ２（スペーサ５）からバーナヘッド３を取り外しても、点火プラグ６の電極２８が露出しない。これにより、掃除等の際に誤って電極２８に接触することがなく、電極２８の損傷を確実に防止できる。
【００３１】
バーナヘッド３は、図４に示すように環状に形成され、下面外周部に垂設された環状壁３１を備えている。環状壁３１には、周方向に沿って配設されて径方向に延びる多数の溝が形成されている。これらの溝が、図２に示すようにスペーサ５の載置部１４に当接することにより、バーナヘッド３の外周に沿って多数の調理用炎孔３２が形成される。
【００３２】
また、バーナヘッド３には、スペーサ５の載置部１４に載置したときに、スペーサ５の突出部２４を上方及び周囲を覆うようにして受け入れる受け部３３（本発明における覆部）が形成されている。受け部３３は、図４に示すように、バーナヘッド３の環状壁３１（調理用炎孔３２が形成された外周端）よりも外方に向かって張り出して形成されている。
【００３３】
バーナヘッド３の内周には、環状壁３１と同心の垂下筒３４が設けられている。図２に示すように、垂下筒３４は、バーナヘッド３をスペーサ５の載置部１４に載置したとき、バーナボディ２の基体部４の内筒８に挿着される。このとき、垂下筒３４と内筒８とによって、バーナボディ２とバーナヘッド３との中央部を上下に貫く空洞部分３５が形成される。そして、この空洞部分３５には、鍋底温度センサ３６が設けられる。なお、バーナヘッド３の上部には環状のカバー板３７が設けられ、空洞部分３５への異物の入り込みが防止される。
【００３４】
バーナヘッド３の垂下筒３４とスペーサ５の内面との間に形成される環状の空間は、混合気通路９に連通する分布室３８を構成している。混合管１から混合気通路９を経て分布室３８に入った混合ガスは、バーナヘッド３の周方向に分布して調理用炎孔３２から噴出する。
【００３５】
受け部３３は、図４に示すように、突出部２４に対応する凹状に形成され、図２に示すように、上壁覆部３９によって突出部２４の上壁部２６及び点火プラグ用開口２９の上方を覆う。上壁覆部３９は、突出部２４よりも外側まで延びている。これにより、点火プラグ６とその電極２８への煮こぼれ汁の付着も防止することができ、電極２８の腐食等の発生を抑えて高い点火性能を長期に亘り維持することができる。
【００３６】
また、上壁覆部３９の下面には複数の溝が形成されている。そして、図２に示すように、上壁覆部３９の溝の下部が突出部２４の上壁部２６の上面により閉塞され、点火用炎孔３０が形成される。このようにして突出部２４の上壁部２６と受け部３３の上壁覆部３９との間に形成された点火用炎孔３０は、点火プラグ６よりも高い位置に設けられる。
【００３７】
更に、図２及び図４に示すように、上壁覆部３９の先端には、下方に延びる先端垂下部４０が設けられている。先端垂下部４０の内面は、バーナヘッド３の径方向外側に向かって次第に下降する方向に傾斜する傾斜面となっている。また、先端垂下部４０の内面中央部分には点火プラグ６の電極２８との間で火花放電を形成するためのターゲット４１が形成されている。
【００３８】
先端垂下部４０は、点火用炎孔３０を流れる混合ガスを下方に案内する。これにより、点火用炎孔３０の火炎は、調理用炎孔３２よりも外側に至る。また、先端垂下部４０の内面が上記傾斜面となっていることで、点火用炎孔３０からの火炎は先端垂下部４０に当たって下向きに案内され、この際にバーナヘッドの周方向に広げられる。これにより、点火用炎孔３０から導出される混合ガスが比較的少なくても、受け部３３によって十分な大きさの火炎が形成され、調理用炎孔３２に確実に火移りさせて点火することができる。
【００３９】
また、点火用炎孔３０が点火プラグ６よりも高い位置に設けられ、点火プラグ用開口２９によって開放された点火プラグ６の上方に混合ガスを導出するので、点火プラグ収容部１９の内部（下方）に引き込むような負圧が生じても、点火用炎孔３０からの混合ガスや火炎形成に対する影響は少ない。従って、点火用炎孔３０における点火不良を防止することができるだけでなく、比較的少量の混合ガスで確実に点火することができる。
【００４０】
また、図４に示すように、バーナヘッド３の周方向に沿った上壁覆部３９の両側には、突出部２４の両縦壁部２５に外方から当接する側方垂下部４２が形成されている。そして、受け部３３は、上壁覆部３９に設けた先端垂下部４０及び側方垂下部４２により点火用炎孔３０を包囲しているので、煮こぼれ汁等が点火用炎孔３０に入り込み難く、点火用炎孔３０の目詰まりを防止して点火不良の発生を防止することができる。しかも、先端垂下部４０及び側方垂下部４２が点火用炎孔３０を包囲することにより、混合ガスの拡散が防止され、比較的少量の混合ガスで点火することができる。
【００４１】
また、図２に示すように、スペーサ５の載置部１４上にバーナヘッド３が正しく載置されたときには、突出部２４が受け部３３に嵌り、突出部２４が受け部３３に設けた一対の側方垂下部４２の間に挟み込まれる。これにより、バーナボディ２（スペーサ５）の載置部１４上にバーナヘッド３を載置したとき、バーナヘッド３を確実に回り止めした状態に位置決めすることができる。
【００４２】
なお、本実施形態においては、図３及び図４に示すように、突出部２４の上壁部２６の上面を平坦とし、受け部３３の上壁覆部３９の下面の溝を上壁部２６の上面に当接させて点火用炎孔３０を形成した例を示したが、これとは逆に、図示しないが、突出部２４の上壁部２６の上面に溝を設け、受け部３３の上壁覆部３９の下面を平坦に形成して点火用炎孔３０を形成してもよい。
【符号の説明】
【００４３】
１…混合管、２…バーナボディ、３…バーナヘッド、６…点火プラグ、１４…載置部、１９…点火プラグ収容部、２４…突出部、３２…調理用炎孔、２５…縦壁部、２７…背面壁部、２９…点火プラグ用開口、３０…点火用炎孔、３３…受け部（覆部）、４０…先端垂下部。
【図１】
2014145512.tif 000003
【図２】
2014145512.tif 000004
【図３】
2014145512.tif 000005
【図４】
2014145512.tif 000006